(57)【要約】【課題】ユーザの設定操作に応じて、随時、ユーザ操作画面を切り替えて表示することで、ユーザの操作を簡略化する。【解決手段】記憶部に記憶されているユーザのジョブ履歴情報を取得する履歴情報取得部２５と、１つ以上の設定項目を表示し、前記設定項目の操作によるジョブ実行を行う選択を受け付ける通常操作画面と、ジョブ履歴情報にしたがって１つ以上の設定項目の組み合わせを１つにまとめて表示して１つの操作でジョブ実行を行う選択を受け付ける推奨操作画面と、を表示する操作画面表示部２６と、通常操作画面から設定項目が選択された場合、推奨操作画面で使用する設定項目の組み合わせ情報を、選択された設定項目を含む組み合わせ情報に変更する推奨操作画面変更部２７と、を備える。【選択図】図６
2018157241.tif 000002
【特許請求の範囲】
【請求項１】
記憶部に記憶されているユーザのジョブ履歴情報を取得する履歴情報取得部と、
１つ以上の設定項目を表示し、前記設定項目の操作によるジョブ実行を行う選択を受け付ける通常操作画面と、前記ジョブ履歴情報にしたがって１つ以上の設定項目の組み合わせを１つにまとめて表示して１つの操作でジョブ実行を行う選択を受け付ける推奨操作画面と、を表示する操作画面表示部と、
前記通常操作画面から設定項目が選択された場合、前記推奨操作画面で使用する設定項目の組み合わせ情報を、前記選択された設定項目を含む組み合わせ情報に変更する推奨操作画面変更部と、
を備えることを特徴とする画像処理装置。
【請求項２】
前記推奨操作画面で使用する設定項目の組み合わせ情報を格納する推奨候補テーブルを有し、
前記推奨操作画面変更部は、ユーザの前記通常操作画面の操作により前記推奨候補テーブルの推奨候補となる設定項目が異なる場合、前記推奨候補テーブルの推奨候補から除外することを特徴とする請求項１に記載の画像処理装置。
【請求項３】
記憶部に記憶されているユーザのジョブ履歴情報を取得する履歴情報取得部と、
前記取得したジョブ履歴情報とユーザの簡易操作画面の操作による最新の設定項目とを比較して変更されている同一の設定項目の履歴を抽出する抽出部と、
前記抽出部で抽出された同一の設定項目の履歴にしたがって前記簡易操作画面に前記抽出された設定項目の履歴を表示する簡易操作画面表示部と、
を備えることを特徴とする画像処理装置。
【請求項４】
前記抽出部は、ユーザの簡易操作画面の操作による設定項目が、前記ユーザの簡易操作画面の操作による設定項目に対して変更された最新の設定項目を抽出し、
前記簡易操作画面表示部は、前記簡易操作画面に前記抽出された最新の設定項目の履歴を表示することを特徴とする請求項３に記載の画像処理装置。
【請求項５】
記憶部に記憶されているユーザのジョブ履歴情報を取得する履歴情報取得ステップと、
１つ以上の設定項目を表示し、前記設定項目の操作によるジョブ実行を行う選択を受け付ける通常操作画面と、前記ジョブ履歴情報にしたがって１つ以上の設定項目の組み合わせを１つにまとめて表示して１つの操作でジョブ実行を行う選択を受け付ける推奨操作画面と、を表示する操作画面表示ステップと、
前記通常操作画面から設定項目が選択された場合、前記推奨操作画面で使用する設定項目の組み合わせ情報を、前記選択された設定項目を含む組み合わせ情報に変更する推奨操作画面変更ステップと、
をコンピュータに実行させるためのプログラム。
【請求項６】
前記推奨操作画面変更ステップは、ユーザの前記通常操作画面の操作により、前記推奨操作画面で使用する設定項目の組み合わせ情報を格納する推奨候補テーブルの推奨候補となる設定項目が異なる場合、前記推奨候補テーブルの推奨候補から除外することを特徴とする請求項５に記載のコンピュータに実行させるためのプログラム。
【請求項７】
記憶部に記憶されているユーザのジョブ履歴情報を取得する履歴情報取得ステップと、
前記取得したジョブ履歴情報とユーザの簡易操作画面の操作による最新の設定項目とを比較して変更されている同一の設定項目の履歴を抽出する抽出ステップと、
前記抽出ステップで抽出された同一の設定項目の履歴にしたがって前記簡易操作画面に前記抽出された設定項目の履歴を表示する簡易操作画面表示ステップと、
をコンピュータに実行させるためのプログラム。
【請求項８】
前記抽出ステップは、ユーザの簡易操作画面の操作による設定項目が、前記ユーザの簡易操作画面の操作による設定項目に対して変更された最新の設定項目を抽出し、前記簡易操作画面表示部は、前記簡易操作画面に前記抽出された最新の設定項目の履歴を表示することを特徴とする請求項７に記載のコンピュータに実行させるためのプログラム。
【発明の詳細な説明】
【技術分野】
【０００１】
本発明は、画像処理装置、及びプログラムに関する。
【背景技術】
【０００２】
従来、複合機（ＭＦＰ：Multifunction  Peripheral）などの画像形成装置における機能は多種多様となっており、タッチパネル上で操作する際に、不慣れなユーザが適した機能を選択できるように、ＭＦＰに保存されている使用履歴からおすすめの設定を表示させる技術が知られている。
【０００３】
例えば、特許文献１には、操作に不慣れなユーザが操作性を低下させることなく適した機能を利用できるようにするために、ＭＦＰ上の操作履歴を利用して組みわせられる頻度が高い機能をおすすめ設定としてタッチパネル上に表示する技術が開示されている。
【発明の概要】
【発明が解決しようとする課題】
【０００４】
しかしながら、上記に示される従来の技術にあっては、画像形成装置のタッチパネル上では、ユーザが表示しているおすすめ設定を使用せず、通常の機能設定による操作で設定をしようとした場合、つまり、表示しているおすすめ設定がユーザの所望するものではなかった場合であっても、既存のおすすめ設定をそのまま表示し続けることになる。このため、ユーザによる操作を簡略化できないことがあった。
【０００５】
本発明は、上記に鑑みてなされたものであって、ユーザの設定操作に応じて、随時、ユーザ操作画面を切り替えて表示することで、ユーザの操作を簡略化することを目的とする。
【課題を解決するための手段】
【０００６】
上述した課題を解決し、目的を達成するために、本発明は、記憶部に記憶されているユーザのジョブ履歴情報を取得する履歴情報取得部と、１つ以上の設定項目を表示し、前記設定項目の操作によるジョブ実行を行う選択を受け付ける通常操作画面と、前記ジョブ履歴情報にしたがって１つ以上の設定項目の組み合わせを１つにまとめて表示して１つの操作でジョブ実行を行う選択を受け付ける推奨操作画面と、を表示する操作画面表示部と、前記通常操作画面から設定項目が選択された場合、前記推奨操作画面で使用する設定項目の組み合わせ情報を、前記選択された設定項目を含む組み合わせ情報に変更する推奨操作画面変更部と、を備えることを特徴とする。
【発明の効果】
【０００７】
本発明は、ユーザの設定操作に応じて、随時、ユーザ操作画面を切り替えて表示することで、ユーザの操作を簡略化することができるという効果を奏する。
【図面の簡単な説明】
【０００８】
【図１】図１は、システム構成の一例を示すブロック図である。
【図２】図２は、画像処理装置のハードウェア構成の一例を示すブロック図である。
【図３】図３は、サーバのハードウェア構成を示すブロック図である。
【図４】図４は、第１の実施の形態にかかる操作部の機能構成の一例を示すブロック図である。
【図５】図５は、コントローラ部の機能構成を示すブロック図である。
【図６】図６は、データ処理部が有する機能構成例（１）を示すブロック図である。
【図７】図７は、第１の実施の形態にかかるアプリケーションによる操作画面における各操作キーを示す説明図である。
【図８】図８は、図７の通常操作画面における部数設定キーの押下による部数設定画面例を示す説明図である。
【図９】図９は、図７の通常操作画面におけるカラー選択キーの押下によるカラーまたは白黒画像、または２色カラーの選択を行う設定画面例を示す説明図である。
【図１０】図１０は、第１の実施の形態にかかる画像処理装置の動作を示すフローチャートである。
【図１１】図１１は、第１の実施の形態にかかるジョブ履歴の例を示す図表である。
【図１２】図１２は、第１の実施の形態にかかるおすすめ候補テーブルとして使用する推奨候補テーブルの例を示す図表である。
【図１３】図１３は、データ処理部が有する機能構成例（２）を示すブロック図である。
【図１４】図１４は、第２の実施の形態にかかるアプリケーションによる操作画面例（１）における各操作キーを示す説明図である。
【図１５】図１５は、図１４においてかんたん設定キーが押下された場合の画面例を示す説明図である。
【図１６】図１６は、図１４において白黒選択キー＋かんたん設定キーが押下された場合の画面例を示す説明図である。
【図１７】図１７は、第２の実施の形態にかかる画像処理装置の動作を示すフローチャートである。
【図１８】図１８は、第２の実施の形態にかかるジョブ履歴の例（１）を示す図表である。
【図１９】図１９は、第２の実施の形態にかかる各設定の使用頻度の順位例を示す図表である。
【図２０】図２０は、第２の実施の形態にかかるアプリケーションによる操作画面例（２）における各操作キーを示す説明図である。
【図２１】図２１は、図２０においてかんたん設定キーが押下された場合の画面例を示す説明図である。
【図２２】図２２は、図２０においてカラー選択キー＋かんたん設定キーが押下された場合の画面例を示す説明図である。
【図２３】図２３は、第２の実施の形態にかかるジョブ履歴の例（２）を示す図表である。
【発明を実施するための形態】
【０００９】
以下に添付図面を参照して、この発明にかかる画像処理装置、及びプログラムの一実施の形態を詳細に説明する。
【００１０】
以下の各実施の形態では、画像処理装置が複合機（ＭＦＰ：Multifunction  Peripheral）である場合を例に取り説明するが、これに限定されるものではない。なお、複合機とは、印刷機能、複写機能、スキャナ機能、及びファクシミリ機能のうち少なくとも２つの機能を有する装置である。
【００１１】
（第１の実施の形態）
図１は、システム構成の一例を示すブロック図である。図１に示すように、本システムは、画像処理装置１００と、サーバ装置４００と、を備える。画像処理装置１００とサーバ４００とは、ネットワーク５００を介して接続されている。ネットワーク５００としては、例えば、ＬＡＮ（Local  Area  Network）やインターネットなどが挙げられる。図１では、画像処理装置１００の台数が１台である場合を例に取り説明するが、これに限定されず、複数台であってもよい。
【００１２】
画像処理装置１００は、図２において後述するようにコントローラ部３００と、操作部２００と、を備える。
【００１３】
図２は、画像処理装置１００のハードウェア構成の一例を示すブロック図である。図２に示すように、画像処理装置１００は、コントローラ部３００と、操作部２００と、を備える。つまり、画像処理装置１００は、コントローラ部３００と、操作部２００と、を備える情報処理システムと言うこともできる。
【００１４】
コントローラ部３００と操作部２００とは、専用の通信路２０９を介して相互に通信可能に接続されている。通信路２０９には、例えば、ＵＳＢ（Universal  Serial  Bus）規格のものを用いることができる。なお、通信路２０９は、有線及び無線の何れであってもよい。また、通信路２０９は、インターネットなどのネットワークや電話回線などとすることもできる。
【００１５】
なお、図２に示す例では、コントローラ部３００に接続される操作部２００の台数が１台である場合を例示しているが、操作部２００の台数は、これに限定されず、任意の台数とすることができる。
【００１６】
コントローラ部３００は、ＣＰＵ（Central  Processing  Unit）３０１と、ＲＯＭ（Read  Only  Memory）３０２と、ＲＡＭ（Random  Access  Memory）３０３と、ＨＤＤ（Hard  Disk  Drive）３０４と、エンジン３０５と、接続Ｉ／Ｆ３０６と、通信Ｉ/Ｆ３０７と、を備える。ＣＰＵ３０１、ＲＯＭ３０２、ＲＡＭ３０３、ＨＤＤ３０４、エンジン３０５、接続Ｉ／Ｆ３０６、及び通信Ｉ/Ｆ３０７は、システムバス３０８を介して相互に接続されている。
【００１７】
エンジン３０５は、コピー機能、スキャナ機能、ファクス機能、及びプリンタ機能などの各種の機能を実行するものであり、これらの機能を実現するための汎用的な情報処理及び通信以外の処理を行うハードウェアである。エンジン３０５は、例えば、原稿の画像を読み取るスキャナ、用紙等のシート材への印刷を行うプロッタ、及びファクス通信を行うファクス部などを備える。エンジン３０５は、更に、印刷済みシート材を仕分けるフィニッシャや、原稿を自動給送するＡＤＦ（Auto  Document  Feeder）のような特定のオプションを備えることもできる。
【００１８】
ＣＰＵ３０１は、コントローラ部３００の動作を統括的に制御する。ＣＰＵ３０１は、ＲＡＭ３０３をワークエリアとしてＲＯＭ３０２又はＨＤＤ３０４などに格納されたプログラムを実行する。これにより、ＣＰＵ３０１は、コントローラ部３００全体の動作を制御する。すなわち、ＣＰＵ３０１は、エンジン３０５に、上述したコピー機能、スキャナ機能、ファクス機能、及びプリンタ機能などを実行させる。
【００１９】
接続Ｉ／Ｆ３０６は、通信路２０９を介して操作部２００と通信するためのインタフェースである。通信Ｉ／Ｆ３０７は、ネットワークを介して、外部の装置と通信するためのインタフェースである。
【００２０】
次に、操作部２００について説明する。操作部２００は、ユーザの操作に応じた入力を受付ける。また、操作部２００は、各種画像（画面）を表示する。操作部２００は、独自のＯＳ（Operating  System）と画面遷移機構とを有する。なお、コントローラ部３００は、操作部２００で受付けた入力に応じた動作を行う。
【００２１】
操作部２００は、ＣＰＵ２０１と、ＲＯＭ２０２と、ＲＡＭ２０３と、フラッシュメモリ２０４と、操作パネル２０５（表示部の一例）と、接続Ｉ／Ｆ２０６と、通信Ｉ／Ｆ２０７と、を備える。ＣＰＵ２０１、ＲＯＭ２０２、ＲＡＭ２０３、フラッシュメモリ２０４、操作パネル２０５、接続Ｉ／Ｆ２０６、及び通信Ｉ／Ｆ２０７は、システムバス２０８を介して相互に接続されている。
【００２２】
ＣＰＵ２０１は、操作部２００の動作を統括的に制御する。ＣＰＵ２０１は、ＲＡＭ２０３をワークエリアとしてＲＯＭ２０２又はフラッシュメモリ２０４などに格納されたプログラムを実行することで、操作部２００全体の動作を制御する。このプログラムの実行により、ＣＰＵ２０１は、後述する各種機能を実現する。
【００２３】
接続Ｉ／Ｆ２０６は、通信路２０９を介してコントローラ部３００と通信するためのインタフェースである。通信Ｉ／Ｆ２０７は、ネットワークを介して、外部の装置と通信するためのインタフェースである。
【００２４】
操作パネル２０５は、ユーザの操作に応じた各種の入力を受付けるとともに、各種画像（画面）を表示する。本実施の形態では、操作パネル２０５が、各種入力の受付を行う受付機能と、各種画像（画面）の表示を行う表示機能と、の双方を一体的に備えたタッチパネルである場合を説明するが、これに限定されるものではない。例えば、操作パネル２０５は、各種入力の受付けを行う入力装置と、各種情報の表示を行う表示装置と、を別体として構成してもよい。
【００２５】
図３は、サーバ４００のハードウェア構成を示すブロック図である。サーバ４００は、一般的なコンピュータで構成される。サーバ４００は、図３に示すように、ＣＰＵ４０１、ＲＯＭ４０２、ＲＡＭ４０３、ＨＤＤ（ハードディスクドライブ）４０４、ディスプレイ405、入力装置406、通信I／F407を備える。ＣＰＵ４０１、ＲＯＭ４０２、ＲＡＭ４０３、ＨＤＤ４０４、ディスプレイ４０５、入力装置４０６、及び通信Ｉ／Ｆ４０７は、システムバス４０８を介して相互に接続されている。
【００２６】
ＣＰＵ４０１は、サーバ４００の動作を統括的に制御する。ＣＰＵ４０１は、ＲＡＭ４０３をワークエリアとしてＲＯＭ４０２又はＨＤＤ４０４などに格納されたプログラムを実行することで、サーバ４００全体の動作を制御する。
【００２７】
通信Ｉ／Ｆ４０７は、ネットワークを介して、外部の装置と通信するためのインタフェースである。ディスプレイ４０５は、各種画像（画面）を表示する。入力装置４０６は、ユーザの操作に応じた各種の入力を行う。なお、ディスプレイ４０５及び入力装置４０６を、別体ではなくタッチパネルなどのように一体として構成してもよい。
【００２８】
次に、画像処理装置１００の機能構成を説明する。以下では、画像処理装置１００で実行する表示処理に関する機能を中心に説明する。図４は、第１の実施の形態にかかる操作部２００の機能構成の一例を示すブロック図である。
【００２９】
操作部２００は、表示処理部２０、データ処理部２１、データ保管部２２、通信処理部２３を備える。
【００３０】
なお、上述した操作部２００の機能構成の一部または全部をソフトウェアまたはハードウェアで実現してもよい。
【００３１】
表示処理部２０は、操作パネル２０５の表示を制御する。また、表示処理部２０は、ユーザからの入力を受け付けてデータ処理部２１に伝える。表示処理部２０は、操作パネル２０５に、ワンタッチで各機能の組合せ設定ができるおすすめ設定画面（推奨操作画面）も表示する。
【００３２】
データ処理部２１は、表示処理部２０を介して入力されたユーザ操作を解釈して操作部２００の動作を制御する。
【００３３】
データ保管部２２は、アドレス帳、ジョブ履歴などの情報を例えばフラッシュメモリ２０４などの記憶部に保存する処理を行う。通信処理部２３は、コントローラ部３００と通信し、データのやり取りを行う。
【００３４】
図６は、データ処理部２１が有する機能構成例（１）を示すブロック図である。データ処理部２１は、履歴情報取得部２５、操作画面表示部２６、推奨操作画面変更部２７を有する。
【００３５】
履歴情報取得部２５は、データ保管部２２の履歴情報テーブル２８（図１１参照）に記憶されているユーザのジョブ履歴情報を取得する。操作画面表示部２６は、１つ以上の設定項目を表示し、設定項目の操作によるジョブ実行を行う選択を受け付ける通常操作画面と、ジョブ履歴情報にしたがって１つ以上の設定項目の組み合わせを１つにまとめて表示して１つの操作でジョブ実行を行う選択を受け付ける推奨操作画面と、を表示する。推奨操作画面変更部２７は、通常操作画面から設定項目が選択された場合、推奨操作画面で使用する設定項目の組み合わせ情報を、選択された設定項目を含む組み合わせ情報に変更する。
【００３６】
なお、上記設定項目は、カラー設定、倍率設定、部数設定、濃度設定といった各機能を指し、機能項目ともいう。
【００３７】
図５は、コントローラ部３００の機能構成を示すブロック図である。コントローラ部３００は、印刷制御部３０、アドレス制御処理部３１、通信処理部３２、アドレス帳３３、画像生成部３４を備える。
【００３８】
印刷制御部３０は、描画された画像を紙に転写及び印刷を行うエンジン３０５の制御を行う。アドレス制御処理部３１は、アドレス帳３３から宛先情報の取得やアドレス情報の追加、削除、修正の制御を行う。通信処理部３２は、外部のホストコンピュータとデータのやり取りを行う。通信処理部３２は、操作部２００との通信制御も行う。アドレス帳３３は、アドレス情報を保存するＨＤＤ（ハードディスクドライブ）などの記憶装置を指す。画像生成部３４は、印刷データを展開し、画像イメージとしてメモリに描画する。
【００３９】
なお、上述したコントローラ部３００の機能構成の一部または全部をソフトウェアまたはハードウェアで実現してもよい。
【００４０】
次に、第１の実施の形態にかかる操作画面例について説明する。図７は、第１の実施の形態にかかるアプリケーション（以下、アプリという）による操作画面における各操作キーを示す説明図である。操作パネル２０５には、通常操作画面２１０と推奨操作画面であるおすすめ操作画面２１１とが表示される。
【００４１】
通常操作画面２１０としては、設定項目であるカラー選択キー２１２、変倍設定キー２１３、部数設定キー２１４、濃度設定キー２１５、トレイ設定キー２１６、両面設定キー２１７、集約設定キー２１８、ステープル設定キー２１９を、それぞれユーザによる押下操作によって入力可能に表示される。
【００４２】
カラー選択キー２１２は、画像形成時における色が「カラー」であるか「白黒」であるかを選択するキーである。変倍設定キー２１３は、画像形成時における倍率を等倍（１００％）か、または指定の倍率で設定するためのキーである。部数設定キー２１４は、出力部数を設定するキーである。濃度設定キー２１５は、画像形成時における画像濃度が標準か、または濃い、薄いかの濃度を設定するキーである。トレイ設定キー２１６は、装置に収納されている記録紙のトレイを選択するキーである。両面設定キー２１７は、記録紙の両面に画像形成するかを選択するキーである。集約設定キー２１８は、画像を縮小して例えば２頁分を１頁、または４頁分を１頁にまとめて記録紙に画像形成する選択を行うキーである。ステープル設定キー２１９は、ステープル機能による綴じ位置を設定するキーである。
【００４３】
このように通常操作画面２１０には、１つ以上の設定項目を表示し、ユーザによる設定項目の操作によるジョブ実行を行う入力（キーの押下）を受け付ける。
【００４４】
図７のおすすめ操作画面２１１には、おすすめ設定として、カラー：白黒、変倍：１００％、部数：１０部、濃度：濃い、トレイ：トレイ１、両面：する、集約：しない、ステープル：左上、が１つの組み合わせとして設定されている。ユーザはこの設定項目でよければおすすめ操作画面２１１を押下することで、本設定内容で画像処理が実行される。
【００４５】
おすすめ操作画面２１１は、取得したジョブ履歴情報にしたがって１つ以上の設定項目の組み合わせを１つにまとめて表示して１つの操作でジョブ実行を行うユーザの入力を受け付け、この入力操作に基づいて操作画面を生成し表示する。
【００４６】
ユーザは、上記通常操作画面２１０での各設定項目の入力、またはおすすめ操作画面２１１によるワンタッチの押下の後、スタートキー２２０を押下することにより、画像形成が実行される。
【００４７】
図８は、図７の通常操作画面２１０における部数設定キー２１４の押下による部数設定画面例を示す説明図である。部数設定キー２１４を押下することで図８の部数設定画面２２１が表示される。部数設定キー２１４のテンキー２２３により所望とする部数を入力すると、部数表示部２２２に入力した部数が表示される。入力した部数でよければＯＫキー２２４を押下し、部数をキャンセルするときにはキャンセルキー２２５を押下する。
【００４８】
図９は、図７の通常操作画面２１０におけるカラー選択キー２１２の押下によるカラーまたは白黒画像、または２色カラーの選択を行う設定画面例を示す説明図である。カラー選択キー２１２を押下すると、図９のカラー選択画面２２７が表示される。カラー選択画面２２７においてフルカラーの画像を得る場合にはカラーキー２２８、白黒の画像を得る場合には色黒キー２２９、２色の画像を得る場合には２色キー２３０を押下する。この何れかのキー入力でよければＯＫキー２３１を押下し、変更したい場合にはキャンセルキー２３２を押下する。
【００４９】
本例における履歴情報テーブル２８の例を図１１に示す。また、おすすめ候補テーブルとして使用する推奨候補テーブル２９の例について図１２に示す。図１１に示す履歴情報テーブル２８例では、ユーザＡ，Ｂ毎にジョブ印刷を行った日時、各設定項目（機能設定）の履歴情報を保持している。図１２に示す推奨候補テーブル２９は、ユーザのジョブ履歴に基づいて一括操作を行うおすすめ操作画面（推奨操作画面）を表示する際に参照する情報を候補順に保持する。
【００５０】
図１０は、第１の実施の形態にかかる画像処理装置１００の動作を示すフローチャートである。本動作は、上述した画像処理装置１００によって実行される。本動作が開始されると、まず、ユーザはログインしてアプリを起動する（ステップＳ１）。続いて、データ処理部２１（履歴情報取得部２５）は、データ保管部２２に保管されている履歴情報テーブル２８（図１１参照）からジョブ履歴を取得する（ステッＳ２）。続いて、取得したジョブ履歴の情報から推奨候補テーブル（おすすめ候補テーブル）２９（図１２参照）にセットする（ステップＳ３）。推奨候補テーブル（おすすめ候補テーブル）２９とは、ユーザが各機能の組合せ設定をワンタッチで設定可能とするおすすめ設定の候補を保管しておくテーブルである。本例においては、ログインユーザのジョブ履歴の最新１０個分を新しい順におすすめ設定としてセットする。ただし、おすすめ設定候補の決め方はこれに限ったものではない。例えば、使用頻度の高い順５個分などでも構わない。
【００５１】
続いて、データ処理部２１（操作画面表示部２６）は、推奨候補テーブル（おすすめ候補テーブル）２９のおすすめ設定を決定する（ステップＳ４）。アプリ起動時においては候補Ｎｏ．１のおすすめ設定を表示することになる。さらに、表示処理部２０は操作画面表示部２６で設定されたおすすめ設定も含めたアプリ画面情報を受け取り、表示する（ステップＳ５）。このようにしてユーザログイン〜アプリ初期画面表示までの動作が行なわれる。
【００５２】
つぎに、ユーザによる各種設定〜ジョブ実行までの流れについて説明する。ステップＳ５の後、ユーザは、機能設定とおすすめ設定のどちらの設定方法を選択したか否かを判断する（ステップＳ６）。この場合、設定方法には、機能設定とおすすめ設定の２種類に分類される。機能設定とは図７の通常操作画面２１０に示すように機能ごとに設定していく設定方法のことであり、例えば、図８の部数設定、図９のカラー選択などである。また、おすすめ設定とは、図７の推奨操作画面に示すように各機能の組合せ設定をおすすめ操作画面（おすすめ設定キー）２１１のワンタッチの押下で設定可能とする設定方法のことである。
【００５３】
ステップＳ６において、ユーザがおすすめ設定を選択した場合（判断、おすすめ設定）、データ処理部２１（操作画面表示部２６）は、推奨候補テーブル２９より各機能の設定値にセットする（ステップＳ１３）。この場合、おそらくユーザはこのあとジョブ実行に進むと考えられる。
【００５４】
つぎにステップＳ６において、ユーザが何らかの機能設定を選択した場合について説明する。ユーザにより何らかの機能設定が選択され、所望の設定が行なわれると（ステップＳ７）、データ処理部２１（推奨操作画面変更部２７）は、現在表示中のおすすめ設定を推奨候補テーブル２９で候補対象から除外する（ステップＳ８）。これは、おすすめ設定を表示しているにもかかわらずこれを使用せず機能設定から設定するということは「現在表示しているおすすめ設定はユーザの所望するものではない」と判断したためである。
【００５５】
続いて、データ処理部２１（推奨操作画面変更部２７）は、アプリ起動時点（初期値）から変更された設定項目／設定値を抽出し（ステップＳ９）、その情報に基づいて推奨候補テーブル２９の中から表示するおすすめ設定を決定する（ステップＳ１０）。詳細には、アプリ起動時点（初期値）から変更された設定項目／設定値を抽出し、それらが一致するものを推奨候補テーブル２９から候補Ｎｏ順に検索する。ただし先述した候補対象から除外したものは検索対象ではない。
【００５６】
続いて、表示処理部２０は、次に表示することに決定したおすすめ設定をデータ処理部２１（推奨操作画面変更部２７）から取得し、表示（更新）する（ステップＳ１１）。続いて、ユーザがジョブ実行を行うか否かを判断する（ステップＳ１２）。すなわちスタートキー２２０の押下を確認する。ステップＳ１２においてジョブを実行しない場合には（Ｎｏ）、ステップＳ６に戻って以降の動作を繰り返し実行し、ジョブを実行する場合には（Ｙｅｓ）、本動作を終了する。
【００５７】
つぎに、「ユーザによる各種設定〜ジョブ実行」までの流れについて、ユーザ操作の例と図１２に示す推奨候補テーブル２９の例を参照して説明する。ここではユーザが、以下の機能設定Ａ，Ｂの操作を行った後におすすめ設定を行う場合について説明する。ユーザは、図９に示すカラー選択の設定画面から「白黒（初期値）→カラー」に変更する（機能設定Ａ）。さらにユーザは、図８に示す部数設定の設定画面から「１（初期値）→１０」に変更する（機能設定Ｂ）。ユーザは、上記機能設定Ａ，Ｂを行った後、図７に示す表示されているおすすめ設定キー（おすすめ操作画面２１１）を押下し、スタートキー２２０を押下することでジョブを実行する操作を行う。
【００５８】
上記ユーザが操作する前は、図１２の候補Ｎｏ．１をおすすめ設定としている。ここで上記の機能設定Ａ，Ｂを実施すると、推奨候補テーブル２９から候補対象を以下のように除外する。
【００５９】
この機能設定Ａにより、アプリ起動時点（初期値）から変更された設定項目：設定値（カラー選択：カラー）を抽出する。推奨候補テーブル２９の中から表示するおすすめ設定（候補Ｎｏ．２）を決定する。この場合、「カラー選択値：カラー」と一致するものを検索すると候補Ｎｏ．２が一番に最初にヒットする。Ｎｏ．１は除外されているので検索の対象外とする。決定したおすすめ候補（候補Ｎｏ．２）を表示（更新）する。
【００６０】
ユーザが上記機能設定Ｂを実施すると、推奨候補テーブル２９からおすすめ候補対象を除外する。すなわち、候補Ｎｏ．２をおすすめ候補対象から除外する。そして、アプリ起動時点（初期値）から変更された設定項目：設定値（カラー選択：カラー、部数設定：１０部）を抽出する。ここで推奨候補テーブル２９の中から表示するおすすめ候補（候補Ｎｏ．６）を決定する。
【００６１】
「カラー選択：カラー」、「部数設定：１０部」に一致するものを検索するとおすすめ候補として図１２に示すＮｏ．６が最初にヒットする。Ｎｏ．１、Ｎｏ．２は除外されているので検索の対象外であり、決定したおすすめ設定（候補Ｎｏ．６）を表示（更新）する。
【００６２】
上記機能設定Ａ，Ｂの後、ユーザがおすすめ設定を実施すると、図１２に示す候補Ｎｏ．６の設定内容が各機能設定の設定値に変更される。ユーザによるスタートキー２２０の押下により、各機能の設定値に基づいてジョブの実行が開始される。
【００６３】
このように本実施の形態にかかる画像処理装置１００は、操作部２００のタッチパネル等のＵＩ（ユーザインタフェース）でおすすめ設定（推奨設定）として表示する。より詳細には、ユーザがおすすめ設定を選択せず、通常の機能による設定操作をしたとき、ユーザの設定操作と使用履歴とを比較して、ユーザが所望するおすすめ設定を随時予測し表示するものである。したがって、ユーザの設定操作と使用履歴を比較し、ユーザが所望するおすすめ設定（推奨設定）を随時予測して最新の操作情報を含む画面として、推奨操作画面にするので、ユーザの操作を簡略化することができる。
【００６４】
（第２の実施の形態）
第２の実施の形態では、システムの構成、画像処理装置１００、操作部２００及びコントローラ部３００のハードウェア構成は、前述した第１の実施の形態と同様であるので、ここでの重複説明は省略する。
【００６５】
図１３は、データ処理部２１が有する機能構成例（２）を示すブロック図である。データ処理部２１は、履歴情報取得部２５、抽出部４０、簡易操作画面表示部４１を有する。データ保管部２２は、履歴情報テーブル２８、表示情報テーブル４２を有する。
【００６６】
履歴情報取得部２５は、データ保管部２２の履歴情報テーブル２８に記憶されているユーザのジョブ履歴情報を取得する。抽出部４０は、取得したジョブ履歴情報とユーザの簡易操作画面の操作による最新の設定項目とを比較して変更されている同一の設定項目の履歴を抽出する。簡易操作画面表示部４１は、抽出部２６で抽出された同一の設定項目の履歴にしたがって簡易操作画面に抽出された設定項目の履歴を操作画面に表示する。
【００６７】
本例における履歴情報テーブル２８の例を図１８に示す。また、表示情報テーブル４２の例について図１９に示す。表示情報テーブル４２には、ユーザ毎の設定項目（機能項目）を日時別、及び使用頻度順に並べ、この表示情報テーブル３２に基づいて簡易操作画面を表示する。
【００６８】
図１４は、第２の実施の形態にかかるアプリケーションによる操作画面例（１）における各操作キーを示す説明図である。図１４に示す操作パネル２０５には、かんたん設定画面（簡易操作画面ともいう）として初期設定画面が表示されている。図１４では、かんたん設定キー２５２、白黒選択キー２５３、変倍設定キー２５４、部数設定キー２５５、濃度設定キー２５６、トレイ設定キー２５７、両面設定キー２５８、ソートキー設定キー２５９、ステープル設定キー２６０が表示される。また、現在の設定２５０、スタートキー２５１が表示される。これらのキーは、それぞれユーザによる押下操作によって入力可能に表示される。
【００６９】
かんたん設定キー２５２は、かんたん操作画面に遷移するためキーである。白黒選択キー２５３は、画像形成時における色を「白黒」で選択するキーである。変倍設定キー２５４は、画像形成時における倍率を等倍か、または指定の倍率で設定するためのキーである。部数設定キー２５５は、出力部数を設定するキーである。濃度設定キー２５６は、画像形成時における画像濃度が標準か、または指定の濃い、薄いかの濃度を設定するキーである。トレイ設定キー２５７は、装置に収納されている記録紙のトレイを選択するキーである。両面設定キー２５８は、記録紙の両面に画像形成するかを選択するキーである。ソートキー設定キー２５９は、仕分け機能の設定を行うキーである。ステープル設定キー２６０は、ステープル機能による綴じ位置を設定するキーである。
【００７０】
図１４の初期アプリ画面には、色「白黒」、倍率「１００％」、部数「１部」という現在の設定を示す表示２５０が出力される。
【００７１】
このようにかんたん操作画面では、１つ以上の設定項目を表示し、ユーザによる設定項目の操作によるジョブ実行を行う入力（キーの押下）を受け付け、設定後、スタートキー２５１の押下によってジョブが実行される。
【００７２】
図１５は、図１４においてかんたん設定キー２５２が押下された場合の画面例を示す説明図である。かんたん設定キー２５２が押下された場合、ユーザがログインした際に取得した当該ユーザのジョブ履歴に基づいて最新のものを所定数表示する。図１５の例では、表示２６１，２６２，２６３の３つを操作画面に表示している。
【００７３】
図１６は、図１４において白黒選択キー２５３＋かんたん設定キー２５２が押下された場合の画面例を示す説明図である。白黒選択キー２５３＋かんたん設定キー２５２が押下された場合、ユーザがログインした際に取得した当該ユーザのジョブ履歴に基づいて最新のものを所定数表示する。図１６の例では、表示２６４，２６５，２６７の３つを操作画面に表示している。
【００７４】
図１７は、第２の実施の形態にかかる画像処理装置１００の動作を示すフローチャートである。本動作は、上述した画像処理装置１００によって実行される。本動作が開始されると、まず、ユーザはログインしてアプリを起動して初期画面（図１４参照）を表示する（ステップＳ２１）。データ処理部２１（履歴情報取得部２５）は、ログインしたユーザａについてデータ保管部２２に保管されている履歴情報テーブル２８（図１１参照）からジョブ履歴を取得する（ステップＳ２２）。
【００７５】
続いて、かんたん設定キー２５２が押下されたか否かを判断する（ステップＳ２３）。ここでかんたん設定キー２５２が押下された場合（Ｙｅｓ）、ステップＳ２８に進み、一方、かんたん設定キー２５２が押下されない場合（Ｎｏ）、ステップＳ２５に進む。ステップＳ２５ではさらにかんたん設定キー２５２が押下されたか否かを判断する。ステップＳ２５においてかんたん設定キー２５２が押下された場合（Ｙｅｓ）、ステップＳ２６に進み、かんたん設定キー２５２が押下されない場合（Ｎｏ）、ステップＳ２３に戻る。
【００７６】
ステップＳ２６ではかんたん設定画面に遷移し、ユーザａのジョブ履歴を新しい順に設定する（ステップＳ２７）。
【００７７】
ステップＳ２８において、さらにかんたん設定キー２５２が押下されたか否かを判断する。ステップＳ２８においてかんたん設定キー２５２が押下された場合（Ｙｅｓ）、ステップＳ２９に進む。一方、ステップＳ２８においてかんたん設定キー２５２が押下されない場合（Ｎｏ）、機能設定処理を実行する（ステップＳ３２）。
【００７８】
ステップＳ２９では、ユーザａのジョブ履歴の中から、先に押下された機能設定がデフォルトから変更されている設定を抽出する。さらにかんたん設定画面に遷移し（ステップＳ３０）、抽出したユーザａのジョブ履歴を新しい順に表示する（ステップＳ３１）。
【００７９】
このように、ユーザはログインすることでデータ処理部２１が、データ保管部２２に保管されているジョブ履歴（図１８参照）を取得する。印刷設定には予め初期値が存在する。初期値とジョブ履歴の値を比較することでユーザが変更した設定がわかる。これにより各操作キーの使用頻度がわかる。図１９に図１８より求めた使用頻度の順位を示す。また、使用頻度が同順位のものは、工場出荷値などをもとにした各操作キーの初期表示順序（カラー、変倍、部数、濃度、トレイ、ステープル、パンチ、ソート／スタックの順（図１５参照））を優先とする。また各操作キーの初期表示順序は、データ保管部２２がリスト、テーブルなどのデータ構造として持つ。
【００８０】
あるユーザａがログインすると、アプリの初期画面を表示する。例として、図１４ではコピーの初期画面を示している。また、機器としては、データ処理部２１が、データ保管部２２に保管されているジョブ履歴を取得する。この後、ユーザａの操作待ちとなる。ユーザａが、かんたん設定キー２５２を押下した場合、かんたん設定画面に遷移する（図１５参照）。かんたん設定画面は、ユーザａがログインした際に取得されたユーザａのジョブ履歴から、最新のものをいくつか表示するものである。本例では図１５に示すように３つ表示している。
【００８１】
ユーザａが、いきなりかんたん設定キー２５２を押下せず、カラーや変倍、濃度といった機能設定キーを押下し、その後かんたん設定キーを押下した場合は、取得されたユーザａのジョブ履歴から、先に押下された機能設定がデフォルトから変更されているものを抽出する。本例では、白黒／カラー選択キーが押下され、ジョブ履歴の中から白黒／カラーがデフォルトから変更されている履歴、つまり、カラーが選択されている履歴のみを抽出して、最新のものを３つ表示させる。なお、ユーザａが、いきなりかんたん設定キー２５２を押下せず、カラーや変倍、濃度といった機能設定キーを押下した後、かんたん設定キー２５２を押下せずに、そのまま、機能設定キーを操作し続けて、今までと同様の操作を続けることも可能である。
【００８２】
（他の動作例）
つぎに、上述した第２の実施の形態にかかる他の動作例について説明する。ここでは、抽出部４０が、ユーザの簡易操作画面の操作による設定項目が、ユーザの簡易操作画面の操作による設定項目に対して変更された最新の設定項目を抽出し、簡易操作画面表示部４１は、簡易操作画面に抽出された最新の設定項目の履歴を表示する例について説明する。
【００８３】
図２０は、第２の実施の形態にかかるアプリケーションによる操作画面例（２）における各操作キーを示す説明図である。図２０に示す操作パネル２０５には、かんたん設定画面（簡易操作画面ともいう）として初期設定画面が表示されている。図２０では、かんたん設定キー２５２、カラー選択キー２７１、変倍設定キー２７２、部数設定キー２７３、濃度設定キー２７４、トレイ設定キー２７５、両面設定キー２７６、ソートキー設定キー２７７、ステープル設定キー２７８が表示される。また、現在の設定２５０、スタートキー２５１が表示される。これらのキーは、それぞれユーザによる押下操作によって入力可能に表示される。
【００８４】
本例における履歴情報テーブル２８の例を図２３に示す。
【００８５】
かんたん設定キー２５２は、前述したようにかんたん操作画面に遷移するためキーである。カラー選択キー２７１は、画像形成時における色を「カラー」で選択するキーである。変倍設定キー２７２は、画像形成時における倍率を等倍（１００％）か、または指定の倍率で設定するためのキーである。部数設定キー２７３は、出力部数を設定するキーである。濃度設定キー２７４は、画像形成時における画像濃度が標準か、または濃い、薄いかの濃度を設定するキーである。トレイ設定キー２７５は、装置に収納されている記録紙のトレイを選択するキーである。両面設定キー２７６は、記録紙の両面に画像形成するかを選択するキーである。ソートキー設定キー２７７は、仕分け機能の設定を行うキーである。ステープル設定キー２７８は、ステープル機能による綴じ位置を設定するキーである。
【００８６】
図２０の初期アプリ画面には、色「カラー」、倍率「１００％」、部数「１部」という現在の設定を示す表示２５０が出力される。
【００８７】
この図２０のかんたん操作画面では、１つ以上の設定項目を表示し、ユーザによる設定項目の操作によるジョブ実行を行う入力（キーの押下）を受け付け、設定後、スタートキー２５１の押下によってジョブが実行される。
【００８８】
図２１は、図２０においてかんたん設定キー２５２が押下された場合の画面例を示す説明図である。かんたん設定キー２５２が押下された場合、ユーザがログインした際に取得した当該ユーザのジョブ履歴に基づいて最新のものを所定数表示する。図２１の例では、表示２８０，２８１，２８２の３つを表示している。かんたん設定画面は、ユーザａがログインした際に取得したユーザａのジョブ履歴から最新のものを表示する。
【００８９】
図２２は、図２０においてカラー選択キー２７１＋かんたん設定キー２５２が押下された場合の画面例を示す説明図である。カラー選択キー２７１＋かんたん設定キー２５２が押下された場合、ユーザがログインした際に取得した当該ユーザのジョブ履歴に基づいて最新のものを所定数表示する。図２２の例では、表示２８５，２８６，２８７の３つの操作画面を表示している。
【００９０】
データ処理部２１（抽出部４０）は、ユーザａがカラー／変倍／部数等の機能設定キーを押下し、その後かんたん設定キー２５２を押下した場合、ユーザａのジョブ履歴から、先に押下された機能設定が現在の設定と異なる履歴を抽出して表示する。例えば、現在の設定が「カラー／１００％／１部」の状態で「カラー」機能設定キーを押下し、その後かんたん設定キー２５２を押下した場合、ジョブ履歴（図２３参照）から「カラー」の設定が“カラー”以外の“白黒”と“２色”が設定されている履歴を表示する。この表示画面例を図２２のカラー＋かんたん設定画面として示している。
【００９１】
したがって、上述した第２の実施の形態では、ユーザが所望の設定項目の操作及びかんたん設定の操作を行った後に、操作された機能設定が現在の設定と異なる履歴を抽出して画面に表示する。このようにユーザの設定操作に応じて、随時、ユーザ操作画面を切り替えて表示することで、ユーザの操作を簡略化することができる。
【００９２】
ところで、本実施の形態のコンピュータで実行されるプログラムは、ＲＯＭ２０２等に予め組み込まれて提供される。また、上記プログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供してもよい。
【００９３】
さらに、本実施の形態で実行されるプログラムを、インターネット等のネットワークに接続されたコンピュータ上に格納し、ネットワーク経由でダウンロードさせることにより提供するように構成してもよい。また、本実施の形態で実行されるプログラムをインターネット等のネットワーク経由で提供または配布するように構成してもよい。
【００９４】
本実施の形態で実行されるプログラムは、上述した各部を含むモジュール構成となっている。実際のハードウェアとしてはＣＰＵ（プロセッサ）２０１がＲＯＭ２０２からプログラムを読み出して実行することにより上記各部が主記憶装置上にロードされ、各部が主記憶装置上に生成されるようになっている。
【００９５】
なお、上記実施の形態では、本発明の画像処理装置を、コピー機能、プリンタ機能、スキャナ機能及びファクシミリ機能のうち少なくとも２つの機能を有する複合機に適用した例を挙げて説明したが、複写機、プリンタ、スキャナ装置、ファクシミリ装置等の画像形成装置であればいずれにも適用することができる。
【００９６】
なお、上述してきた実施の形態は本発明を実現するための一例として提示したものであり、発明の範囲を限定することは意図しない。これらの新規な実施の形態は、その他の様々な形態で実施されることが可能であり、発明の要旨を逸脱しない範囲で、種々の省略、置き換え、変更を行うことができる。また、これら実施の形態やその変形は、発明の範囲や要旨に含まれるとともに、特許請求の範囲に記載された発明とその均等の範囲に含まれる。
【符号の説明】
【００９７】
２０  表示処理部
２１  データ処理部
２２  データ保管部
２３  通信処理部
２５  履歴情報取得部
２６  操作画面表示部
２７  推奨操作画面変更部
２８  履歴情報テーブル
２９  推奨候補テーブル
４０  抽出部
４１  簡易操作画面表示部
４２  表示情報テーブル
１００  画像処理装置
２００  操作部
３００  コントローラ部
２０１  ＣＰＵ
２０２  ＲＯＭ
２０３  ＲＡＭ
２１１  おすすめ操作画面
２５２  かんたん設定キー
【先行技術文献】
【特許文献】
【００９８】
【特許文献１】特開２０１０−２６８３４６号公報
【図１】
2018157241.tif 000003
【図２】
2018157241.tif 000004
【図３】
2018157241.tif 000005
【図４】
2018157241.tif 000006
【図５】
2018157241.tif 000007
【図６】
2018157241.tif 000008
【図７】
2018157241.tif 000009
【図８】
2018157241.tif 000010
【図９】
2018157241.tif 000011
【図１０】
2018157241.tif 000012
【図１１】
2018157241.tif 000013
【図１２】
2018157241.tif 000014
【図１３】
2018157241.tif 000015
【図１４】
2018157241.tif 000016
【図１５】
2018157241.tif 000017
【図１６】
2018157241.tif 000018
【図１７】
2018157241.tif 000019
【図１８】
2018157241.tif 000020
【図１９】
2018157241.tif 000021
【図２０】
2018157241.tif 000022
【図２１】
2018157241.tif 000023
【図２２】
2018157241.tif 000024
【図２３】
2018157241.tif 000025